(57)【特許請求の範囲】
【請求項１】
電気器具の器体に貫設した電線挿入孔を通して器体に導入された電線に接触する端子板と、端子板に向かってばね付勢され端縁を前記電線に弾接させることにより端子板との間で前記電線を挟持する鎖錠片を有した鎖錠ばねとを備え、端子板が、前記電線の導入方向に沿って電線に接触する主片と、前記電線の先端に一部が対向するように主片から延長された連結片と、主片に対向し鎖錠ばねが当接する当接片とを備え、連結片において当接片寄りの部位には、電線の先端に対向する主片寄りの部位に対して段差部を介して連続し主片寄りの部位よりも電線の導入側に位置する固定板が形成され、鎖錠ばねは、器体における前記電線の導入側の内側面と当接片と固定板とに当接し、鎖錠ばねが器体と固定板との間に挟持される形で器体内の定位置に固定されており、主片において電線が接触する部位の両側であって鎖錠片が主片との間に電線を挟持したときに鎖錠片の先端部と対向する部位には、互いに近い端部が球面の一部を形成する一対の案内突部が突設されていることを特徴とする端子装置。
【発明の詳細な説明】
【０００１】
【発明の属する技術分野】
本発明は、スイッチ、コンセント、照明器具などの電気器具の器体に収納され電線を接続する端子装置に関するものである。
【０００２】
【従来の技術】
従来から、スイッチやコンセントのような配線器具あるいは照明器具などにおいて、器体に設けた電線挿入孔を通して器体に導入された電線を接続するために速結端子と称する端子装置が広く用いられている。この種の端子装置としては、図１２に示すように、器体１に収納され電線挿入孔１２を通して器体１に導入された電線２に接触する端子板３と、端子板３との間で電線を挟持する鎖錠ばね３３とを備えるものが知られている。鎖錠ばね３３は板ばねであって、鎖錠ばね３３に設けた接触片３３ａおよび鎖錠片３３ｂと端子板３との間に電線２を挟持することによって電線２を保持するように形成されている。つまり、器体１に設けた電線挿入孔１２を通して電線２を器体１に導入すると、電線２が接触片３３ａおよび鎖錠片３３ｂを端子板３から引き離す向きに撓ませ、接触片３３ａおよび鎖錠片３３ｂに生じるばね力によって電線２が端子板３と鎖錠片３３ｂとの間に挟持されるように構成されている。ここに、電線２が端子板３と接触片３３ａおよび鎖錠片３３ｂとの間に挟持された状態では、接触片３３ａおよび鎖錠片３３ｂの端縁が電線２に弾接し、電線２の一部に鎖錠片３３ｂが食い込むことによって電線２の抜け止めがなされる。このように、電線２を電線挿入孔１２に挿入するだけで端子板３に電線２が接触した状態で保持されるから、端子ねじを用いて電線２を接続する端子装置に比較すると電線２の結線作業が容易になる。
【０００３】
【発明が解決しようとする課題】
ところで、器体１の中で鎖錠ばね３３を定位置に固定するために、鎖錠ばね３３を器体１の内側面と端子板３との間で挟持する構成が一般に採用されている。つまり、端子板３は図１３に示すように、電線２に接触するように電線２の導入方向に沿って形成された主片３ａと、電線２の先端に対向するように主片３ａから延長された連結片３ｃとを備えており、連結片３ｃと器体１の内側面との間で鎖錠ばね３３を挟持する構成が広く採用されている。
【０００４】
しかして、電線２を最大に挿入したときの電線２の先端位置は連結片３ｃにより規制されることになり、図１３に示す端子板３２では連結片３ｃが平板状であるから、連結片３ｃにおいて鎖錠ばね３３に当接する部位によって電線２の最大の挿入量が規制されることになる。言い換えると、電線２の先端側において接触片３３ａから電線２の先端までの距離（いわゆる、かかりしろ）が小さく、電線２に張力が作用したときに接触片３３ａと電線２との接触状態が不安定になる可能性が生じる。
【０００５】
本発明は上記事由に鑑みて為されたものであり、その目的は、鎖錠ばねと電線とのかかりしろを従来構成よりも大きくし、電線に張力が作用したときにも電線と鎖錠ばねとの接触状態を安定に保つことができる端子装置を提供することにある。
【０００６】
【課題を解決するための手段】
請求項１の発明は、電気器具の器体に貫設した電線挿入孔を通して器体に導入された電線に接触する端子板と、端子板に向かってばね付勢され端縁を前記電線に弾接させることにより端子板との間で前記電線を挟持する鎖錠片を有した鎖錠ばねとを備え、端子板が、前記電線の導入方向に沿って電線に接触する主片と、前記電線の先端に一部が対向するように主片から延長された連結片と、主片に対向し鎖錠ばねが当接する当接片とを備え、連結片において当接片寄りの部位には、電線の先端に対向する主片寄りの部位に対して段差部を介して連続し主片寄りの部位よりも電線の導入側に位置する固定板が形成され、鎖錠ばねは、器体における前記電線の導入側の内側面と当接片と固定板とに当接し、鎖錠ばねが器体と固定板との間に挟持される形で器体内の定位置に固定されており、主片において電線が接触する部位の両側であって鎖錠片が主片との間に電線を挟持したときに鎖錠片の先端部と対向する部位には、互いに近い端部が球面の一部を形成する一対の案内突部が突設されているものである。
【０００９】
【発明の実施の形態】
以下に説明する実施の形態では、本発明の端子装置をスイッチに適用した例を示すが、他の電気機器において同様の構成を適用するのを妨げるものではない。
【００１０】
（第１の実施の形態）
まず、端子装置を適用するスイッチについて説明する。図４ないし図６に示すスイッチは、前面（図４の上面）が開口した直方体状の合成樹脂成形品のボディ１０と、矩形枠状に形成されボディ１０の前面側に結合される合成樹脂成形品のカバー２０とにより構成される器体１を備える。ボディ１０の幅方向における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合される。
【００１１】
ボディ１０には、ボディ１０の後壁に設けた電線挿入孔１２を通して器体１に挿入される電線２（図１参照）を接続する２個の端子装置３０ａ，３０ｂと、端子装置３０ａ，３０ｂの間の電路を開閉する接点装置４０とが収納される。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０が着脱可能に結合され、操作ハンドル６０を操作部として揺動させることにより、反転ハンドル５０が揺動して接点装置４０が開閉されるようにしてある。
【００１２】
ボディ１０の内側面には、端子装置３０ａ，３０ｂおよび接点装置４０を位置決めするための保持リブ１３および保持溝１４がそれぞれ複数形成されている。端子装置３０ａ，３０ｂはボディ１０の長手方向の両端部内に配置され、接点装置４０はボディ１０の長手方向の中央部内に配置される。
【００１３】
端子装置３０ａ，３０ｂは、導電性の金属板により形成された端子板３１，３２と、各端子板３１，３２ごとに２個ずつ設けた鎖錠ばね３３と、各端子板３１，３２ごとに２個ずつ設けた鎖錠ばね３３に当接する合成樹脂成形品の解除釦３４とを備える。各端子板３１，３２は、それぞれボディ１０の長手方向の両端部付近でボディ１０の幅方向の両内側面に設けた保持溝１４に両側部が挿入保持される主片３１ａ，３２ａと、主片３１ａ，３２ａに対向する当接片３１ｂ，３２ｂと、主片３１ａ，３２ａと当接片３１ｂ，３２ｂとの前端縁間を連続一体に連結するようにボディ１０の開口面に沿って延長された連結片３１ｃ，３２ｃとを備える。当接片３１ｂ，３２ｂはボディ１０の長手方向の中央部付近でボディ１０の幅方向の両内側面に形成された保持リブ１３に当接し、保持リブ１３と保持溝１４との間で端子板３１，３２がボディ１０に保持される。さらに、端子板３１，３２の後端はボディ１０に当接しており、端子板３１，３２の前端（連結片３１ｃ，３２ｃ）にはカバー２０に突設した押さえ突起２８が当接する。押さえ突起２８は連結片３１ｃ，３２ｃにおいて主片３１ａ，３２ａに近い部位で端子板３１，３２に当接する。本実施形態においては押さえ突起２８を端子板３１，３２に対して点接触に近い状態で接触させている。
【００１４】
鎖錠ばね３３は主片３１ａ，３２ａと当接片３１ｂ，３２ｂとの間に収納される。端子板３１には連結片３１ｃから延長されて先端部に固定接点４１を備える接点保持片３１ｄがボディ１０の長手方向の中央部に向かって斜め後向き（図６の下向き）に延設される。また、端子板３２には当接片３２ｂの後端縁からボディ１０の長手方向の中央部に向かってボディ１０の後面に沿う形で支持片３２ｄが延設され、支持片３２ｄの先端部には前面開放された断面Ｖ字状の支点用溝３２ｅが支持片３２ｄの延長方向に直交する形で形成される。
【００１５】
鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を端子板３１，３２の主片３１ａ，３２ａと当接片３２ａ，３２ｂとの間に装着するに際しては、接続片３３ｃを当接片３２ａ，３２ｂに当接させる形で接触片３３ａおよび鎖錠片３３ｂを主片３１ａ，３２ａに対向させる。ここに、接触片３３ａおよび鎖錠片３３ｂの先端部は、先端側ほど接続片３３ｃから離れる向きに傾斜し、かつ互いに略平行になるように延長されている。また、接触片３３ａおよび鎖錠片３３ｂの先端部は、先端側ほど連結片３１ｃ，３２ｃとの距離を小さくするように配置される。また、鎖錠ばね３３は、上述のように接続片３３ｃを当接片３１ａ，３２ａに当接させるだけではなく、器体１において電線挿入孔１２を設けている部位の近傍の内側面と、端子板３１，３２の連結片３１ｃ，３２ｃとの間で挟持される。ただし、図１ないし図３に示すように、連結片３１ｃ，３２ｃは、主片３１ａ，３２ａと当接片３１ｂ，３２ｂとの間の部位に段差部３１ｇ，３２ｇを有し、段差部３１ｇ，３２ｇに対して当接片３１ｂ，３２ｂ寄りの部位は主片３１ａ，３２ａ寄りの部位よりも後方に位置した固定板３１ｆ，３２ｆとなり、この固定板３１ｆ，３２ｆに鎖錠ばね３３の一端が当接する。
【００１６】
上述した電線挿入孔１２は、端子板３１，３２の主片３１ａ，３２ａと接触片３３ａおよび鎖錠片３３ｂとの間に対応する部位に形成され、電線挿入孔１２を通して器体１に電線２を挿入すると、電線２の先端部が主片３１ａ，３２ａと接触片３３ａおよび鎖錠片３３ｂとの間に挟持され、電線２が主片３１ａ，３２ａに接触して端子装置３０ａ，３０ｂと電線２とが電気的に接続されるとともに、鎖錠片３３ｂの先端縁が電線２に食い込むことによって電線２が器体１から抜けないように機械的に保持される。とくに、鎖錠片３３ｂは電線挿入孔１２を通して電線２を挿入する向きにおいて主片３１ａ，３１ｂとの距離を小さくするように傾斜しているから、電線２を引き抜く向きの力に対して鎖錠片３３ｂが撓みにくく、電線２の引き抜きを確実に阻止することになる。ここに、電線２は絶縁被覆電線であって器体１に挿入する部位は芯線が露出するように絶縁被覆が除去される。したがって、主片３１ａ，３２ａと鎖錠ばね３３との間に電線２が挟持されるとは実際には芯線が挟持されることを意味する。
【００１７】
ボディ１０の後壁には解除釦３４に対応する部位に操作孔１５が貫設される。解除釦３４は各端子装置３０ａ，３０ｂに設けた２個ずつの鎖錠ばね３３の間に配置され、両鎖錠ばね３３の鎖錠片３３ｂの後面側にそれぞれ当接する２個の押し片３４ａが側面から突出する形状を有する。操作孔１５はマイナスドライバの先端部のような工具が挿入可能となる形状を有し、工具を操作孔１５に挿入して解除釦３４を前方に押圧すると、鎖錠片３３ｂが押し片３４ａから押圧力を受けることにより主片３１ａ，３２ａから離れる向きに撓むようにしてある。したがって、上述のようにして端子装置３０ａ，３０ｂに電線２を接続した状態で操作孔１５に工具を挿入して解除釦３４を押圧すれば、鎖錠片３３ｂが電線２から離れるように撓んで電線２の機械的保持が解除され、電線２を器体１から引き抜くことが可能になる。ここに、解除釦３４には２個の押し片３４ａが設けられ、各端子装置３０ａ，３０ｂに設けた２個の鎖錠ばね３３の鎖錠片３３ｂを同時に押圧するから、各端子装置３０ａ，３０ｂに２本の電線２を接続しているときには１個の解除釦３４を押圧すれば２本の電線２の機械的保持を同時に解除することができる。
【００１８】
上述したように、端子板３１，３２には段差部３１ｇ，３２ｇを介して固定板３１ｆ，３２ｆを設け、固定板３１ｆ，３２ｆに鎖錠ばね３３を当接させるから、従来構成と比較すれば連結片３１ｃ，３２ｃの一部がボディ１０の開口から突出する形になる（図１参照）。言い換えると、他の構成および寸法が従来構成と等しいものとすると、連結片３１ｃ，３２ｃにおける電線２の先端との対向部位が従来構成よりもカバー２０側に偏移していることによって、電線２の最大挿入量を従来構成よりも大きくとることができ、結果的に接触片３３ａと電線２との接触部位から電線２の先端までの長さ（かかりしろ）を従来構成よりも大きくとることが可能になる。
【００１９】
接点装置４０は、端子板３２の支持片３２ｄに対して枢支された板状の開閉素子４３を備え、開閉素子４３には端子板３１の接点保持片３１ｄに設けた固定接点４１に離接する可動接点４２が設けられる。開閉素子４３の後端縁は支持片３２ｄに設けた支点用溝３２ｅに挿入され、支点用溝３２ｅを中心として開閉素子４３が回動可能になっている。ボディ１０の長手方向の中央部であってボディ１０の後部には開閉素子４３の側縁に突設された突片４３ａが挿入されるＶ字状の回動規制溝１６が形成され、回動規制溝１６によって開閉素子４３の回動範囲が規制される。開閉素子４３と反転ハンドル５０との間にはコイルスプリングからなる反転ばね４４が保持されており、開閉素子４３の前端部には反転ばね４４の一端部内に挿入されるばね座片４３ｂが突設される。
【００２０】
反転ばね４４の他端部は反転ハンドル５０の後面側に設けた筒部（図示せず）に挿入される。器体１の幅方向における反転ハンドル５０の両側面には支点突起５１が突設され、各支点突起５１は前端部が先細りとなる形状に形成されている。カバー２０の長手方向の中央部であって幅方向の両側部には開口窓２２の周縁から前方に突出する一対の軸受突片２３が突設され、両軸受突起２３の対向面には反転ハンドル５０の支点突起５１が挿入される軸受凹所２４が形成される。軸受凹所２４は少なくとも前端部において支点突起５１を揺動可能に枢支する。反転ハンドル５０の長手方向の一端部には後述する位置表示灯７１からの光を透過させるための透孔５２が貫設され、さらに反転ハンドル５０の長手方向の両端面には操作ハンドル６０を反転ハンドル５０に結合するための結合爪５３がそれぞれ突設される。
【００２１】
なお、カバー２０の長手方向の両端部にはカバー２０の両端部側縁に沿ってカバー２０の前面から突出する当てリブ２５がそれぞれ突設され、各当てリブ２５の外側面には各一対の取付爪２６が突設される。ここでは詳しく説明しないが、取付爪２６は配線器具用の取付枠に設けた取付孔に係合することによって器体１を取付枠に保持させるために設けてあり、壁面などの施工面に器体１の一部を埋め込む形で施工する際に、施工面に固定される取付枠への器体１の結合作業が容易になっている。また、当てリブ２５は器体１を取付枠に取り付けたときに取付枠の裏面側に当接することになる。操作ハンドル６０は両当てリブ２５の間に配置され、操作ハンドル６０は揺動時において当てリブ２５に干渉しないように形成される。このように当てリブ２５をカバー２０に突設し当てリブ２５に取付爪２６を設けたことによって、当てリブ２５を設けない場合に比較すると操作ハンドル６０を後方に位置させることが可能になり、施工状態においてカバー２０と操作ハンドル６０との間に形成される隙間が外部から見えにくくなる。
【００２２】
操作ハンドル６０は、図６に示すように、反転ハンドル５０の前面を覆い、操作ハンドル６０の後面には反転ハンドル５０に設けた結合爪５３に係合する結合脚６１が突設される。結合脚６１の先端部（後端部）には結合爪５３の後面に係合する脚爪６１ａが形成され、操作ハンドル６０の後面に突設した押さえ突起６２と脚爪６１ａとの間で反転ハンドル５０が保持され、結果的に操作ハンドル６０が反転ハンドル５０に固定されることになる。さらに、操作ハンドル６０の長手方向の一端部には位置表示灯７１からの光を外部に取り出すように導光するためのプリズム６３が固着される。
【００２３】
ところで、反転ハンドル５０の後端部には合成樹脂成形品からなる回路基板７０が保持される。回路基板７０にはネオンランプからなる位置表示灯７１および位置表示灯７１の限流用の抵抗７２が実装される。また、回路基板７０の後面であって反転ハンドル５０の長手方向の一端部に対応する部位には接点７３が設けられている。回路基板７０の中央部には円形に開口した圧入孔７４が形成され、反転ハンドル５０に設けた筒部が圧入孔７４に圧入されることによって、反転ハンドル５０に回路基板７０が固定されるようにしてある。この状態において位置表示灯７１は反転ハンドル５０の透孔５２を通してプリズム６３に対向するように配置される。回路基板７０に実装した回路（位置表示灯７１と抵抗７２との直列回路）の一端は接点７３に接続され、他端は反転ハンドル５０の筒部を通して反転ばね４４に接触する。つまり、回路基板７０に実装した回路の上記他端は反転ばね４４を介して開閉素子４３に電気的に接続されることになる。また、接点７３は反転ハンドル５０の揺動に伴って一方の端子板３１に離接するように配置される。すなわち、反転ハンドル７０が揺動することによって、接点７３が離接する一方の端子装置３０ａと開閉素子４３に電気的に接続されている他方の端子装置３０ｂとの間に、回路基板７０に実装された回路が挿入される状態と、回路が切り離された状態とを選択することになる。両端子装置３０ａ，３０ｂの間に回路が挿入される状態で固定接点４１から可動接点４２が離れるようにしておけば、接点装置４０の開極時に位置表示灯７１に通電され、位置表示灯７１が点灯することになる。したがって、スイッチを照明器具の点灯・消灯を指示する目的で用いると、照明器具の消灯時において位置表示灯７１が点灯し、暗がりでもスイッチの場所を容易に見つけることができるようになる。この構成では、固定接点４１に可動接点４２が接触した状態では接点７３が端子板３１から離れ、回路基板７０に実装した回路には通電されない。
【００２４】
しかして、上述したスイッチの動作を簡単に説明すれば、図６のように操作ハンドル６０の右端部が左端部よりも後方（図の下方）に位置するときには可動接点４２が固定接点４１に接触するようにしているものとして、このとき接点７３が左側の端子板３１から離れるように接点７３を設けておく。この状態では反転ばね４４は中間部が両端部よりも左側に膨らんだ状態になり、反転ばね４４によって可動接点４２が固定接点４１に押圧されて接点圧が付与される。一方、この状態から操作ハンドル６０の左端部を後方に押すと、反転ばね４４の前端部が右側に移動することにより反転ばね４４は圧縮された後に急速に伸長して中間部が両端部よりも右側に膨らんだ状態になり、このとき開閉素子４３を右側に倒して可動接点４２を固定接点４１から引き離す。つまり、反転ばね４４のばね力は反転ハンドル５０を左回りに回転させる向きに作用し、接点７３を端子板３１に接触させる接触圧が生じることになる。つまり、固定接点４１と可動接点４２とが離れている状態で、回路基板７０に実装された回路に通電され、位置表示灯７１が点灯するのである。
【００２５】
ところで、上述した端子装置３０ａ，３０ｂに用いる端子板３１，３２は、電線２の芯線が撚り線である場合にも対応可能となるように構成してある。具体的には、図２および図３に示すように、端子板３１，３２の主片３１ａ，３２ａにおいて鎖錠ばね３３の鎖錠片３３ｂの先端部付近において、鎖錠片３３ｂが接触可能な部位であって電線挿入孔１２を通して器体１に導入された電線２が接触する部位の両側に一対の案内突部３８を突設してある。両案内突部３８は主片３１ａ，３２ａの幅方向に並ぶように配置され、案内突部３８において互いに近い端部は球面の一部となる（いわゆるＳＲ形状）に形成してある。したがって、電線挿入孔１２から芯線が撚り線である電線２を導入した場合に、電線２がばらばらに広がったとしても案内突部３８に乗り上げる形になって鎖錠片３３ｂと案内突部３８との間に電線２が確実に挟持され、しかも案内突部３８がＳＲ形状であることによって電線２はできるだけ両案内突部３８の間を通るように誘導されることになる。要するに、電線２が撚り線であってもばらばらに広がる可能性を低減することができる。さらに、案内突部３８の位置が鎖錠片３３ｂの先端部付近であることによって、電線２が案内突部３８に乗り上げた状態でも鎖錠片３３ｂから比較的大きい接触圧を電線２に作用させることができ、電線２の電気的な接続を確実に確保することができる。
【００２６】
本発明における端子装置の適用例として、単極双投型のスイッチ（いわゆる３路スイッチ）を以下に示す。３路スイッチでは、図７ないし図９に示すように、３個の端子装置３０ｂ，３０ｃ，３０ｄを用いる。端子装置３０ｂは上述した単極単投スイッチと同構成であって、単極単投スイッチに用いた端子装置３０ａに代えて２個の端子装置３０ｃ，３０ｄを用いる。各端子装置３０ｃ，３０ｄはそれぞれ端子板４５，４６を備え、各端子板４５，４６には、器体１に設けた電線挿入孔１２を通して器体１に導入された電線２が接触する主片４５ａ，４６ａと、それぞれボディ１０に設けた保持リブ１３に当接する当接片４５ｂ，４６ｂと、主片４５ａ，４６ａと当接片４５ｂ，４６ｂとの間を連結する連結片４５ｃ，４６ｃと、連結片４５ｃ，４６ｃから連続一体に延長され先端部にそれぞれ固定接点４１ａ，４１ｂを設けた接点保持片４５ｄ，４６ｄとが設けられる。両端子装置３０ｃ，３０ｄの接点保持片４５ｄ，４６ｄの先端部は互いに対向するように配置され、固定接点４１ａ，４１ｂは対向する。また開閉素子４３は厚み方向の両面に可動接点４２ａ，４２ｂを備え、開閉素子４３の回動に伴って各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。また、各端子板４５，４６における連結片４５ｃ，４６ｃには鎖錠ばね３３の前端に当接する固定板４５ｆ，４６ｆが段差部４５ｇ，４６ｇを介して形成されている。
【００２７】
端子装置３０ｃ，３０ｄはボディ１０の長手方向における同じ側（図９における左側）に配置されており、各端子板４５，４６にはそれぞれ１個ずつの鎖錠ばね３３が収納される。ただし、両端子板４５，４６の鎖錠ばね３３の間に１つの解除釦３４が配置される。さらに、各端子板４５，４６の連結片４５ｃ，４６ｃには導電性の金属板からなる接触子４７がかしめ固定される。各接触子４７は回路基板７０に弾接するように弾性が付与されており、反転ハンドル５０の揺動にかかわらず接触子４７がつねに回路基板７０に弾接するようにしてある。回路基板７０には位置表示灯７１と抵抗（図示せず）との直列回路が実装され、この直列回路の各一端にそれぞれ接触子４７が接触する。この種の３路スイッチは階段灯の点灯・消灯に用いられることが多く、階上と階下とにそれぞれ３路スイッチを配置して階段灯の点灯・消灯とを階上と階下とのいずれにおいても操作可能とすることができる。したがって、両固定接点３１ａ，３１ｂの間に位置表示灯７１と抵抗との直列回路を挿入しておけば、階段灯の消灯時に位置表示灯７１を点灯させることができる。この種の回路の接続関係は周知であるから説明を省略する。また、３路スイッチの他の構成は単極単投型のスイッチと同様である。
【００２８】
なお、接点装置４０の構成として、上述の例では単極単投型のスイッチ（いわゆる片切り型のスイッチ）と３路スイッチとを例示したが、本発明の技術思想はこれらのスイッチへの適用に限定されるものではなく、たとえば２極単投型のスイッチやいわゆる４路型のスイッチ（４端子のうちの２端子と残りの２端子とを一対一に接続する２つの接続関係が選択可能なスイッチ）に適用することも可能であり、さらにはスイッチだけではなくコンセントや照明器具などに適用することも可能である。
【００２９】
（第２の実施の形態）
本実施形態は、図１０に示すように、基本的には第１の実施の形態と同様の構成であって、第１の実施の形態では押さえ突起２８が端子板３１，３２に対して点接触に近い状態で接触していたのに対して、本実施形態では押さえ突起２８が端子板３１，３２が面接触に近い状態で接触しているものである。この構成では第１の実施の形態に比較すると、電線２の近傍で端子板３１，３２を固定する部位の面積が大きくなるから、電線２の抜き差しの際に作用する外力に対して端子板３１，３２のがたつきを抑制することができる。他の構成および動作は第１の実施の形態と同様である。
【００３０】
（参考例）
本例は、図１１に示すように、第２の実施の形態に対して端子板３１，３２の形状を変更し、鎖錠ばね３３の前端を端子板３１，３２の連結片３１ｃ，３２ｃに当接させるのではなく、カバー２０から後方に突設した固定突起２７を鎖錠ばね３３の前端に当接させて鎖錠ばね３３をボディ１０との間に挟持する構成としたものである。このような構成を採用することによって、端子板３１，３２の連結片３１ｃ，３２ｃに段差部３１ｇ，３２ｇを形成する必要がなく、端子板３１，３２の加工が容易になる。また、鎖錠ばね３３は端子板３１，３２の中に収納できる寸法であること以外には、端子板３１，３２による規制を受けないから、鎖錠ばね３３の設計が容易である。他の構成および動作は第２の実施の形態と同様である。
【００３１】
【発明の効果】
請求項１の発明の構成によれば、鎖錠ばねを器体の内側面と固定板との間に挟持する形で器体内の定位置に固定しており、固定板は電線の先端に対向する部位に対して段差部を介して連続しているから、鎖錠ばねを固定する位置とは別に電線の挿入量を決定することができ、とくに固定板と鎖錠ばねとの当接部位を電線の先端部と連結片との対向部位よりも鎖錠ばねの一端側に位置させていることによって、他の構成が従来構成と同様であるとすれば、従来構成よりも器体内への電線の挿入量を大きくすることが可能であって、結果的に鎖錠ばねと電線とのかかりしろを従来構成よりも大きくし、電線に張力が作用したときにも電線と鎖錠ばねとの接触状態を安定に保つことが可能になる。
【００３２】
しかも、端子板の形状を変更するだけで対応することができるから、従来構成に対して目的の達成のために変更する箇所が少なく実現が容易である。さらに、主片において電線が接触する部位の両側であって鎖錠片が主片との間に電線を挟持したときに鎖錠片の先端部と対向する部位には、互いに近い端部が球面の一部を形成する一対の案内突部が突設されているから、電線の芯線が撚り線であっても、電線は両案内突部の間を通るように誘導され、ばらばらに広がる可能性が低減される上に、電線の一部が案内突部に乗り上げたとしても鎖錠片と案内突部との間に電線を挟持することができる。つまり、電線の芯線が撚り線であっても電気的な接続を確実に確保することができる。
【図面の簡単な説明】
【図１】本発明の第１の実施の形態を示す縦断面図である。
【図２】同上の分解斜視図である。
【図３】同上に用いる端子板を示し、（ａ）は平面図、（ｂ）は縦断面図である。
【図４】同上を用いたスイッチを示す分解斜視図である。
【図５】同上を用いたスイッチを示し、（ａ）は正面図、（ｂ）は下面図、（ｃ）は側面図である。
【図６】同上を用いたスイッチの縦断面図である。
【図７】同上を用いた他のスイッチを示す分解斜視図である。
【図８】同上を用いた他のスイッチを示し、（ａ）は正面図、（ｂ）は下面図、（ｃ）は側面図である。
【図９】同上を用いた他のスイッチの縦断面図である。
【図１０】本発明の第２の実施の形態を示す縦断面図である。
【図１１】  参考例を示す縦断面図である。
【図１２】従来例を示す縦断面図である。
【図１３】従来例に用いる端子板を示し、（ａ）は平面図、（ｂ）は縦断面図である。
【符号の説明】
１  器体
２  電線
１２  電線挿入孔
２７  固定突起
３１，３２  端子板
３１ａ，３２ａ  主片
３１ｃ，３２ｃ  連結片
３１ｆ，３２ｆ  固定板
３１ｇ，３２ｇ  段差部
３３  鎖錠ばね
３３ｂ  鎖錠片
４５，４６  端子板
４５ａ，４６ａ  主片
４５ｃ，４６ｃ  連結片
【図１】
0004026315.tif 000002
【図２】
0004026315.tif 000003
【図３】
0004026315.tif 000004
【図４】
0004026315.tif 000005
【図５】
0004026315.tif 000006
【図６】
0004026315.tif 000007
【図７】
0004026315.tif 000008
【図８】
0004026315.tif 000009
【図９】
0004026315.tif 000010
【図１０】
0004026315.tif 000011
【図１１】
0004026315.tif 000012
【図１２】
0004026315.tif 000013
【図１３】
0004026315.tif 000014